(57)【要約】【課題】構造が簡単で使用が便利な加湿装置及びこれを有する空気調和機を提供する。【解決手段】本発明による加湿装置は、回転軸線に沿って回転して空気の流動を発生させる複数のインペラと、前記インペラと結合されるケーシングとを有する送風ファンと；前記ケーシングの一側に形成され、前記送風ファンの回転によって加湿流体を案内可能に備えられた加湿流体案内部を含み、前記各インペラには、前記加湿流体案内部と連通し、回転によって前記加湿流体を外周縁に向かって排出可能に形成された加湿流体排出部をさらに含む。これによって、加湿装置の構造が簡単で部品数を最小化することができるので、経済的費用が節減でき、使用が簡便である。【選択図】図２
2008122061.tif 000002
【特許請求の範囲】
【請求項１】
加湿装置において、
回転軸線に沿って回転して空気の流動を発生させる複数のインペラと、前記インペラと結合されるケーシングとを有する送風ファンと；
前記ケーシングの一側に形成され、前記送風ファンの回転によって加湿流体を案内可能に備えられた加湿流体案内部とを含み、
前記各インペラには、前記加湿流体案内部と連通し、回転によって前記加湿流体を外周縁に向かって排出可能に形成された加湿流体排出部をさらに含むことを特徴とする加湿装置。
【請求項２】
前記加湿流体排出部は、
一側に前記加湿流体案内部と連通する開口が形成された連通部と、
他側に外周縁に向かって前記連通部と貫通されるように形成された少なくとも一つの排出スロットとを含むことを特徴とする請求項１に記載の加湿装置。
【請求項３】
前記加湿流体案内部は、
前記ケーシングの一側に前記回転軸線に対して垂直方向に形成された横断面と、
前記横断面に結合され、前記回転軸線から所定の距離で配置された縦案内部材とを含むことを特徴とする請求項１に記載の加湿装置。
【請求項４】
前記縦案内部材は、前記横断面と一体に成形されることを特徴とする請求項３に記載の加湿装置。
【請求項５】
前記インペラは、断面の中央領域が空いていることを特徴とする請求項１に記載の加湿装置。
【請求項６】
前記縦案内部材は、前記横断面上に配置されて前記回転軸線から距離の異なる第１縦案内部材及び第２縦案内部材を含むことを特徴とする請求項３または４のうちのいずれか一項に記載の加湿装置。
【請求項７】
前記第１縦案内部材は、前記第２縦案内部材より前記回転軸線から近く配置されることを特徴とする請求項６に記載の加湿装置。
【請求項８】
前記横断面における前記第２縦案内部材の高さは、前記横断面における前記第１縦案内部材の高さ以上であることを特徴とする請求項７に記載の加湿装置。
【請求項９】
前記第２縦案内部材は、前記回転軸線から同じ距離に配置されることを特徴とする請求項７に記載の加湿装置。
【請求項１０】
前記第２縦案内部材の前記連通部に隣接した領域は、前記連通部の間の領域より前記回転軸線からさらに遠く配置されることを特徴とする請求項７に記載の請求項加湿装置。
【請求項１１】
前記第２縦案内部材は、前記横断面から折曲して延長されることを特徴とする請求項７に記載の加湿装置。
【請求項１２】
前記加湿流体案内部に前記加湿流体を供給する加湿流体供給部をさらに含むことを特徴とする請求項１に記載の加湿装置。
【請求項１３】
前記加湿流体供給部は、前記加湿流体を供給及び案内する供給配管と、前記供給配管の流路を開閉する供給バルブとを含むことを特徴とする請求項１２に記載の加湿装置。
【請求項１４】
前記送風ファンの稼動及び停止によって前記供給バルブを開閉するように制御する制御部をさらに含むことを特徴とする請求項１３に記載の加湿装置。
【請求項１５】
前記加湿流体供給部は、前記供給配管に前記加湿流体を供給する供給源と、前記供給源と前記供給バルブとの間に備えられた流体貯蔵槽をさらに含むことを特徴とする請求項１３に記載の加湿装置。
【請求項１６】
前記送風ファンは、遠心ファンを含むことを特徴とする請求項１に記載の加湿装置。
【請求項１７】
加湿装置を含む空気調和機において、
回転軸線に沿って回転して空気の流動を発生させる複数のインペラと、前記インペラと結合されるケーシングとを有する送風ファンと；
前記送風ファンの周りに配置された熱交換器と；
前記ケーシングの一側に形成され、前記送風ファンの回転によって加湿流体を案内可能に備えられた加湿流体案内部を含み、
前記各インペラには、前記加湿流体案内部と連通し、回転によって前記加湿流体を外周縁に沿って前記熱交換器に向かって排出可能に形成された加湿流体排出部をさらに含むことを特徴とする空気調和機。
【請求項１８】
前記加湿流体排出部は、
一側に前記加湿流体案内部と連通する開口が形成された連通部と、
他側に外周縁に向かって前記連通部と貫通されるように形成された少なくとも一つの排出スロットとを含むことを特徴とする請求項１７に記載の空気調和機。
【請求項１９】
前記加湿流体案内部は、
前記ケーシングの一側に前記回転軸線に対して垂直方向に形成された横断面と、
前記横断面に結合され、前記回転軸線から所定の距離で配置された縦案内部材とを含むことを特徴とする請求項１７に記載の空気調和機。
【請求項２０】
前記縦案内部材は、前記横断面と一体に成形されることを特徴とする請求項１９に記載の空気調和機。
【請求項２１】
前記縦案内部材は、前記横断面の上に配置されて前記回転軸線から距離の異なる第１縦案内部材及び第２縦案内部材を含み、
前記第１縦案内部材は前記第２縦案内部材より前記回転軸線から近く配置されることを特徴とする請求項１９または２０のいずれか一項に記載の空気調和機。
【請求項２２】
前記第２縦案内部材は、前記横断面から折曲して延長されることを特徴とする請求項２１に記載の空気調和機。
【請求項２３】
前記加湿流体案内部に前記加湿流体を供給する加湿流体供給部をさらに含むことを特徴とする請求項１７に記載の空気調和機。
【請求項２４】
前記加湿流体供給部は、前記加湿流体を供給及び案内する供給配管と、前記供給配管の流路を開閉する供給バルブとを含むことを特徴とする請求項２３に記載の空気調和機。
【請求項２５】
前記送風ファンの稼動及び停止によって前記供給バルブを開閉するように制御する制御部をさらに含むことを特徴とする請求項２４に記載の空気調和機。
【発明の詳細な説明】
【技術分野】
【０００１】
本発明は、加装置及びこれを有する空気調和機に関し、より詳しくは、加湿流体を供給して加湿させる構造を改善した加湿装置及びこれを有する空気調和機に関する。
【背景技術】
【０００２】
一般に、空気調和機は、所定の空間を設定された温度範囲の内で冷房と暖房するためのものであって、一体型と分離型がある。一体型空気調和機は、空気調和機を構成するすべての部品が一つのケース内に備わる。その例として、窓型空気調和機と天井型空気調和機が挙げられる。
【０００３】
天井型空気調和機は、一般的に天井に埋入される本体にモータによって回転される送風ファンが備わり、送風ファンの四方に熱交換器が設けられる。そして、冷房または暖房をする過程で室内空気に含まれた湿度が減少して室内空気が乾燥する。室内の快適な湿度を維持するために空気調和機において多様な加湿方法を研究している。
【０００４】
このような従来技術の一例が韓国公開特許公報第２００４-６３６６０号に開示されている。従来技術は散水トレイとポンプなどを備え、熱交換器で発生する凝縮水をポンプに移送して散水トレイに落下させて加湿する。
【０００５】
ところが、従来技術は凝縮水の発生量によって加湿量が変わり、ポンプによる騷音が発生する。また、従来技術は凝縮水の循環によって加湿水が汚染する恐れがあり、散水を均一に調節し難いという問題点を有する。
【特許文献１】韓国公開特許公報第２００４-６３６６０号
【発明の開示】
【発明が解決しようとする課題】
【０００６】
そこで、本発明の目的は、構造が簡単で使用が便利な加湿装置及びこれを有する空気調和機を提供することにある。
【０００７】
また、本発明の目的は、既存の設備にも容易に適用できる加湿装置及びこれを有する空気調和機を提供することにある。
【課題を解決するための手段】
【０００８】
上記目的は、本発明によって、加湿装置において、回転軸線に沿って回転して空気の流動を発生させる複数のインペラと、前記インペラと結合されるケーシングを有する送風ファンと；前記ケーシングの一側に形成され、前記送風ファンの回転によって加湿流体を案内可能に備えられた加湿流体案内部とを含み、前記各インペラには前記加湿流体案内部と連通し、回転によって前記加湿流体を外周縁に向かって排出可能に形成された加湿流体排出部をさらに含むことを特徴とする加湿装置によって達成される。
【０００９】
前記加湿流体排出部は、一側に前記加湿流体案内部と連通する開口が形成された連通部と、他側に外周縁に向かって前記連通部と貫通されるように形成された少なくとも一つの排出スロットとを含むことが好ましい。
【００１０】
前記加湿流体案内部は、前記ケーシングの一側に前記回転軸線に対して垂直方向に形成された横断面と、前記横断面に結合され、前記回転軸線から所定の距離で配置された縦案内部材とを含むことが好ましい。
【００１１】
前記縦案内部材は前記横断面と一体に成形されることが好ましい。
【００１２】
前記インペラは、断面の中央領域が空いていることが好ましい。
【００１３】
前記縦案内部材は、前記横断面の上に配置され、前記回転軸線から距離の異なる第１縦案内部材及び第２縦案内部材を含むことが好ましい。
【００１４】
前記第１縦案内部材は、前記第２縦案内部材より前記回転軸線から近く配置されることが好ましい。
【００１５】
前記横断面における前記第２縦案内部材の高さは、前記横断面における前記第１縦案内部材の高さ以上であることが好ましい。
【００１６】
前記第２縦案内部材は、前記回転軸線から同一の距離に配置されることが好ましい。
【００１７】
前記第２縦案内部材の前記連通部に隣接した領域は、前記連通部の間の領域より前記回転軸線からさらに遠く配置されることが好ましい。
【００１８】
前記第２縦手案内材は、前記横断面から折曲して延長されることが好ましい。
【００１９】
前記加湿流体案内部に前記加湿流体を供給する加湿流体供給部をさらに含むことが好ましい。
【００２０】
前記加湿流体供給部は、前記加湿流体を供給及び案内する供給配管と、前記供給配管の流路を開閉する供給バルブとを含むことが好ましい。
【００２１】
前記送風ファンの稼動及び停止によって前記供給バルブを開閉するように制御する制御部をさらに含むことが好ましい。
【００２２】
前記加湿流体供給部は、前記供給配管に前記加湿流体を供給する供給源と、前記供給源と前記供給バルブとの間に備えられた流体貯蔵槽とをさらに含むことが好ましい。
【００２３】
前記送風ファンは遠心ファンを含むことが好ましい。
【００２４】
一方、本発明の目的は、加湿装置を含む空気調和機において、回転軸線に沿って回転して空気の流動を発生させる複数のインペラと、前記インペラと結合されるケーシングと有する送風ファンと；前記送風ファンの周りに配置された熱交換器と；前記ケーシングの一側に形成され、前記送風ファンの回転によって加湿流体を案内可能に備えられた加湿流体案内部を含み、前記各インペラには前記加湿流体案内部と連通し、回転によって前記加湿流体を外周縁に沿って前記熱交換器に向かって排出可能に形成された加湿流体排出部をさらに含むことを特徴とする空気調和機によって達成される。
【００２５】
前記加湿流体排出部は、一側に前記加湿流体案内部と連通する開口が形成された連通部と、他側に外周縁に向かって前記連通部と貫通されるように形成された少なくとも一つの排出スロットとを含むことが好ましい。
【００２６】
前記加湿流体案内部は、前記ケーシングの一側に前記回転軸線に対して垂直方向に形成された横断面と、前記横断面に結合され、前記回転軸線から所定の距離で配置された縦案内部材とを含むことが好ましい。
【００２７】
前記縦案内部材は、前記横断面と一体に成形されることが好ましい。
【００２８】
前記縦案内部材は、前記横断面の上に配置され、前記回転軸線から距離の異なる第１縦案内部材及び第２縦案内部材を含み、前記第１縦案内部材は前記第２縦案内部材より前記回転軸線から近く配置されることが好ましい。
【００２９】
前記第２縦案内部材は、前記横断面から折曲して延長されることが好ましい。
【００３０】
前記加湿流体案内部に前記加湿流体を供給する加湿流体供給部をさらに含むことが好ましい。
【００３１】
前記加湿流体供給部は、前記加湿流体を供給及び案内する供給配管と、前記供給配管の流路を開閉する供給バルブとを含むことが好ましい。
【００３２】
前記送風ファンの稼動及び停止によって前記供給バルブを開閉するように制御する制御部をさらに含むことが好ましい。
【発明の効果】
【００３３】
本発明によれば、加湿装置の構造が簡単で部品数を最小化することができるので、費用が低減でき、使用が簡便である。
【００３４】
また、紙や不織布などの加湿素子が不必要であるので、加湿素子にかび及びほこりなどが付着して発生し得る汚染物質及び匂いを防止することができる。
【００３５】
また、加湿流体を熱交換器の全体に均一で安定的に供給することにより、少ない量の加湿流体で空気を加湿させることができるので、加湿効果を向上させることができる。
そして、構造が簡単であるので、既存の空気調和機にも容易に付着乃至設置できる。
【発明を実施するための最良の形態】
【００３６】
以下、本発明による空気調和機について、添付図面を参照しながら説明する。空気調和機は、一体型または分離型乃至スタンド型または埋入型に仕分けされ、多様な種類を含むことができる。以下で本発明の一実施形態として、一体型で天井に埋入される天井型空気調和機について説明する。
【００３７】
図１乃至図５に示すように、本発明の一実施形態による空気調和機１００は加湿装置２００を含む。空気調和機１００は、本体ケーシング１２０と、熱交換器１１０とをさらに含む。空気調和機１００は制御部２７０をさらに含むことができる。
【００３８】
本体ケーシング１２０は、送風ファン２１０、熱交換器１１０、及び加湿装置２００を収容する。本体ケーシング１２０は、天井の設置面（図１のＳ'参照）に支持部材１２７によって支持されて天井に埋入される。本体ケーシング１２０は、底面に室内空気を吸い込むこむ吸入口１２３と排出口１２５とを有する前面パネル１２１を含む。本体ケーシング１２０の吸入口１２３及び排出口１２５には、吸入及び排出される空気の方向を調節するための手段（図示せず）を付着することができる。
【００３９】
熱交換器１１０は、送風ファン２１０によって流動する室内空気と熱伝逹が可能なように送風ファン２１０の排出側の流路上に送風ファン２１０を取り囲む構造を有する。熱交換器１１０は広い伝熱面積を有するように多様な形態で備えられる。これによって、設定された所定の温度範囲で室内温度を維持することができる。熱交換器１１０には、加湿のための手段として紙や不織布などが用いられない。これによって、熱交換器１１０で案内されて連通部２３１から噴射される加湿流体と、インペラ２１３を通じる循環空気とが混じるようにして循環空気を加湿させることができる。
【００４０】
加湿装置２００は、送風ファン２１０、加湿流体案内部２２０、及び加湿流体排出部２３０を含む。加湿装置２００は、加湿流体供給部２５０と、制御部２７０とをさらに含む。
【００４１】
送風ファン２１０は、回転軸線Ｙに沿って回転しながら室内空気を循環させる。送風ファン２１０は回転力を提供するモータ２１１と、モータ２１１と結合されて回転し、室内空気の流動を案内して流路を形成するケーシング２１５とを含む。送風ファン２１０は、ケーシング２１５の間に備えられ、回転によって室内空気をケーシング２１５に吸い込んで排出させる流動を起こすインペラ２１３をさらに含む。これにって、室内空気は、送風ファン２１０の回転によって本体ケーシング１２０の内部に吸入及び排出されて循環される。このようなインペラ２１３とケーシング２１５はモールドによって成型できる。ここで、送風ファン２１０は、循環空気が回転軸線Ｙの方向に入って回転軸線Ｙに垂直した方向に出る遠心ファンを含むことが好ましい。
【００４２】
インペラ２１３は、モータ２１１の回転によって室内空気が本体ケーシング１２０に出入りして循環できる流動力を提供し、横断面２２１と連通する開口２３３を有する。インペラ２１３は流動力を向上させるために折曲した流線形断面を有し、断面の中央領域に開口２３３と連結されて空間の連通部２３１を有する。インペラ２１３のこのような空間はインペラ２１３の自重を減少させることができる。
【００４３】
加湿流体案内部２２０は、横断面２２１と、横断面２２１に配置された縦案内部材２２３、２２５とを含む。
【００４４】
横断面２２１は、加湿流体を案内するように回転軸線Ｙに対して垂直方向にケーシング２１５の上部に平たく形成されている。横断面２２１には、複数の開口２３３が形成されて連通部２３１と連通する。横断面２２１には横断面２２１の板面に対して垂直方向に一対の縦案内部材２２３、２２５が配置されている。これによって、加湿流体供給部２５０から供給される加湿流体は横断面２２１で先に案内され、縦案内部材２２３、２２５によって連通部２３１に案内され得る。
【００４５】
縦案内部材２２３、２２５は、横断面２２１の板面から延長され、回転軸線Ｙから所定の距離離隔して配置されている。縦案内部材２２３、２２５は、横断面２２１にスクリュー、接着剤などによって結合される。これによって、縦案内部材２２３、２２５は既存の送風ファン２１０にも容易に付着できる。また、縦案内部材２２３、２２５はケーシング２１５と一体に成型することもできるので、構造が簡単である。縦案内部材２２３、２２５は、第１縦案内部材２２３と、第２縦案内部材２２５とを含む。縦案内部材２２３、２２５は、必要に応じて第２縦案内部材２２５だけを要することがある。これは、送風ファン２１０が回転することによって遠心力が作用し、加湿流体の供給は送風ファン２１０が稼動中にだけ供給されるためである。縦案内部材２２３、２２５はケーシング２１５の回転によって回転抵抗が最小限に抑えられるように備えることが好ましい。
【００４６】
第１縦案内部材２２３は、回転軸線Ｙから第２縦案内部材２２５より近く横断面２２１の板面に配置されている。第１縦案内部材２２３は連通部２３１を間にして横断面２２１に配置されている。第１縦案内部材２２３は回転軸線Ｙから同一の距離で配置されることが好ましいが、必要に応じて回転軸線Ｙから距離の異なる帯状で備えることができる。これによって、横断面２２１に案内される加湿流体が回転軸線Ｙに流動することを防止することができる。
【００４７】
第２縦案内部材２２５は、回転軸線Ｙから第１縦案内部材２２３より遠く横断面２２１の板面に配置されている。横断面２２１における第２縦案内部材２２５の高さは、横断面２２１における第１縦案内部材２２３の高さと同じかまたはさらに大きいことが好ましい。これによって、横断面２２１に案内される加湿流体は、高さの高い第２縦案内部材２２５によって外部に離脱せずに連通部２３１に案内される。
【００４８】
第２縦案内部材２２５の端部は、図４に示すように、回転軸線Ｙに向かって“Ｌ”字状に折曲し、加湿流体が遠心力によって第２縦案内部材２２５を超えることを予防することができる。このように折曲して延長された第２縦案内部材２２５は、図４に示すように、回転軸線Ｙが水平方向に設置された場合にも加湿流体が第２縦案内部材２２５を超えることを予防することができる。これによって、安定的に加湿流体を連通部２３１に案内することができる。
【００４９】
第２縦案内部材２２５は、回転軸線Ｙから同一の距離に配置される。第２縦案内部材２２５は、図５に示すように、他の実施形態によって形成できる。つまり、第２縦案内部材２２５は回転軸線Ｙから連通部２３１に隣接した領域の距離（図５の‘ａ'参照）は、回転軸線Ｙから連通部２３１の間の領域の距離（図５の‘ｂ'参照）よりさらに大きい。このような第２縦案内部材２２５は、図４に示すように折曲して延長された場合にも適用されることは勿論である。これによって、横断面２２１に残存している加湿流体を減らすことができるので、加湿流体を効果的に加湿流体排出部２３０に案内することができる。
【００５０】
ここで、第２縦案内部材２２５は、インペラ２１３の回転による抵抗を最小限に減らすことができる形状を有することが好ましい。これによって、連通部２３１の間に加湿流体が溜まっていることを予防することができる。
【００５１】
したがって、加湿流体が縦案内部材２２３、２２５の間の横断面２２１に供給されれば、安定的に連通部２３１に案内され得る。
【００５２】
加湿流体排出部２３０は、開口２３３を有する連通部２３１と、連通部２３１からインペラ２１３の外周縁に向かって貫通された排出スロット２３５とを有する。
【００５３】
連通部２３１は横断面２２１と連通した開口２３３に連結され、インペラ２１３の断面の中央領域に形成された空間である。
【００５４】
排出スロット２３５は、インペラ２１３の各連通部２３１から外周縁に熱交換器１１０に向かって貫通された少なくとも一つに形成されている。ここで、排出スロット２３５の大きさ、数量、配置位置、連通部２３１から外部に向かう角度などは、インペラ２１３の大きさ、厚さ、回転数、空気調和機１００の処理容量などを考慮して決める。このような排出スロット２３５は既存の送風ファン２１０にも容易に装着できる。
【００５５】
これによって、モータ２１１によってインペラ２１３が回転すれば、連通部２３１の開口２３３から排出スロット２３５に流動する空気の流れが形成される。したがって、横断面２２１及び縦案内部材２２３、２２５によって案内される加湿流体は、開口２３３と連通部２３１を順次に経て排出スロット２３５を通じて安定的で、かつ比較的均一に排出される。そして、少量の加湿流体でも連通部２３１から送風ファン２１０の周りに配置された熱交換器１１０に向かって形成された流動によって容易に排出される。供給バルブ２５５が閉まって加湿流体の供給が中断されれば、加湿流体案内部２２０と加湿流体排出部２３０にある加湿流体は送風ファン２１０の遠心力によって熱交換器１１０に全て排出される。したがって、加湿流体案内部２２０と加湿流体排出部２３０に加湿流体が残存せず、別途の紙や不織布などを用いないので、残余湿気によって発生し得るカビ及びほこりなどが付着して匂い及び汚染物質が発生する恐れがない。
【００５６】
加湿流体供給部２５０は、加湿流体案内部２２０に加湿流体を供給する。加湿流体供給部２５０は、供給配管２５３と、供給バルブ２５５とを含む。加湿流体供給部２５０は、供給源２５１と、流体貯蔵槽２５７とをさらに含む。
【００５７】
ここで、加湿流体を供給するか否かは制御部２７０で制御できる。
【００５８】
供給配管２５３は、水道のような供給源２５１から加湿流体案内部２２０に加湿流体を供給及び案内する。供給配管２５３の流路上に供給バルブ２５５と、流体貯蔵槽２５７とを含む。供給バルブ２５５は必要に応じ、図７に示すように、流体貯蔵槽２５７に供給される部分と、流体貯蔵槽２５７で連通して横断面２２１に供給される端部に設けることができる。供給配管２５３の端部は、加湿流体案内部２２０と所定の距離で離隔するか、または接触するように配置できる。
【００５９】
横断面２２１に加湿流体を供給する供給配管２５３の端部は、必要に応じて縦案内部材２２３、２２５または横断面２２１に接触するなど多様な形態で配置できる。これは、インペラ２１３の回転によって供給される加湿流体が横断面２２１から飛び出すことを防止するためである。また、インペラ２１３の回転によって加湿流体が横断面２２１に飛散することを防止するためのカバーなどのような多様な手段を選択的に採用することができる。
【００６０】
供給バルブ２５５は、供給配管２５３の流路上に設けられて流路を開閉する。供給バルブ２５５の開閉は、送風ファン２１０が稼動するか否かに基づいて制御部２７０が制御する。供給バルブ２５５は、制御部２７０の制御によって自動的に開閉される電子バルブなどのような公知の多様な自動バルブを含む。また、供給バルブ２５５は、加湿流体案内部２２０に供給される加湿流体の量を調節することができる。
【００６１】
流体貯蔵槽２５７は、供給源２５１と供給バルブ２５５との間に設けられる。流体貯蔵槽２５７は、供給配管２５３の流路上に設けられ、所定の加湿流体を貯蔵する。これによって、安定的に加湿流体を供給することができる。
【００６２】
制御部２７０は、入力部２７３乃至各種温度センサー（図示せず）に基づいて熱交換器１１０、送風ファン２１０、供給バルブ２５５などの運転を制御することができる。制御部２７０は、送風ファン２１０の稼動及び停止に基づいて供給バルブ２５５を制御することができる。つまり、制御部２７０は、送風ファン２１０が稼動された後に所定の時間が経過した後供給バルブ２５５が開放されるように制御し、送風ファン２１０が停止される所定の時間の前に供給バルブ２５５が閉まるようにできる。ここで、入力部２７３は空気調和機１００の冷房または暖房、冷暖房による温度を設定するだけではなく、運転、停止などの多様な運転モードを選択することができる。また、入力部２７３は、送風ファン２１０の作動期間と供給バルブ２５５の開閉時間との間の間隔を入力することができる。制御部２７０は、加湿の必要な時間の間に供給バルブ２５５を開閉するように制御できる。また、制御部２７０は、流体貯蔵槽２５７に供給される加湿流体の量を調節するように、供給源２５１から供給される供給配管２５３を開閉するように制御できる。
【００６３】
このような構成により、本発明の一実施形態による空気調和機１００の作動過程について、図６及び図７を参照して説明する。
【００６４】
まず、使用者は電源を印加させて事務所、居間、部屋のような所定の空間を冷房するかまたは暖房するか、また、冷暖房の温度をいくらにするかなどを運転ボタンなどの入力部２７３で入力する。使用者が運転ボタンを押せば、送風ファン２１０が回転して入力部２７３の条件によって熱交換器１１０が加熱されたり冷却されたりする。この時、所定の空間の湿度状態を考慮して制御部２７０は供給バルブ２５５を開放させる。冷暖房される空間の湿度状態は、乾湿球温度計や他の多様な公知の湿度計のようなセンサー２７５で感知し、制御部２７０で認識乃至算出できる。
【００６５】
供給源２５１から供給される加湿流体は、供給配管２５３の端部から加湿流体案内部２２０の横断面２２１に案内される。横断面２２１に案内された加湿流体は、送風ファン２１０の回転によって連通部２３１の開口２３３に沿って排出スロット２３５から熱交換器１１０に噴射される。したがって、供給バルブ２５５から供給される加湿流体は、送風ファン２１０の回転によって案内及び排出されるので、加湿流体は熱交換器１１０の全体面積にかけて非常に均一でかつ安定的に供給されることができる。また、加湿流体が案内及び排出される経路上で溜まったり固まったりする現象がないので、少ない加湿流体を利用して加湿効果を高めることができる。
【００６６】
ここで、供給源２５１から供給される加湿流体は、供給配管２５３の流路上に備えられた流体貯蔵槽２５７に保存されるか、または流体貯蔵槽２５７なしに直ちに加湿流体案内部２２０に供給される。この過程で加湿流体の供給量、供給有無などは制御部２７０で供給バルブ２５５を開閉して制御される。
【００６７】
排出スロット２３５から排出される加湿流体は、熱交換器１１０にぶつかってさらに微細化される。これによって、微細化された加湿流体は循環空気に非常によく混入できるので、少ない量の加湿流体で加湿効果を高めることができる。
【００６８】
本発明によれば、加湿装置の構造が簡単で部品数を最小化することができるので、費用を低減することができる。紙や不織布などの加湿素子が不必要なので、加湿素子にカビ及びほこりなどが付着されて発生し得る汚染物質及び匂いを防止することができる。また、加湿流体を熱交換器の全体に均一でかつ安定的に供給して少ない量の加湿流体で空気を加湿させることができるので、加湿効果を向上させることができる。
【００６９】
そして、構造が簡単であるので、既存の空気調和機にも容易に付着できる。
【図面の簡単な説明】
【００７０】
【図１】本発明の一実施形態による空気調和機の断面図である。
【図２】図１の要部を拡大した平面図である。
【図３】図２のＩＩＩ−ＩＩＩ線に沿った要部断面である。
【図４】図２の加湿流体案内部の他の実施形態を示す断面図である。
【図５】図２の加湿流体案内部のまた他の実施形態を示す平面図である。
【図６】図２で加湿流体が流動する過程を示す平面図である。
【図７】本発明による加湿流体が制御される過程を説明する概路図である。
【符号の説明】
【００７１】
１００  空気調和機
１１０  熱交換器
１２０  本体ケーシング
１２１  前面パネル
１２３  吸入口                         
１２５  排出口
２００  加湿装置
２１０  送風ファン
２１１  モータ
２１３  インペラ
２１５  ケーシング
２２０  加湿流体案内部
２２１  横断面
２２３  第１縦案内部材
２２５  第２縦案内部材
２３０  加湿流体排出部
２３１  連通部
２３３  開口
２３５  排出スロット
２５０  加湿流体供給部
２５１  供給源
２５３  供給配管
２５５  供給バルブ
２５７  流体貯蔵槽
２７０  制御部
２７３  入力部
【図１】
2008122061.tif 000003
【図２】
2008122061.tif 000004
【図３】
2008122061.tif 000005
【図４】
2008122061.tif 000006
【図５】
2008122061.tif 000007
【図６】
2008122061.tif 000008
【図７】
2008122061.tif 000009